(57)【要約】【課題】ロータリーシャッタを備えた磁気ディスクカートリッジにおいて、ロータリーシャッタを閉方向に付勢するばね部材の組込みを容易にする。【解決手段】バネ部材として、コイル部４１ａと、このコイル部４１ａから延出する一対のアーム部４１ｂ、４１ｄとを備えたトーションバネ４１を用い、このトーションバネ４１の一方のアーム部４１ｂの先端をディスク５の外縁よりも外方部位においてロータリーシャッタ７に形成した透孔４２に挿入して係止し、他方のアーム部４１ｄの先端をシャッタロック部材１１に引っ掛けて係止する。【選択図】　　　　　図１
2004127452.tif 000002
【特許請求の範囲】
【請求項１】
磁気ディスクを回転自在に収容するハウジングに、ドライブ装置の記録再生ヘッドを前記磁気ディスクの表面にアクセスさせるための開口と、バネ部材により閉方向に付勢された態様で前記開口を開閉するロータリーシャッタとが設けられてなる磁気ディスクカートリッジにおいて、
前記バネ部材が、コイル部と、該コイル部から延出する一対のアーム部とを備えたトーションバネからなり、該トーションバネの一方のアーム部の先端が前記ロータリーシャッタに係止され、他方のアーム部の先端がハウジング側に係止されていることを特徴とする磁気ディスクカートリッジ。
【請求項２】
前記トーションバネの前記一方のアーム部の先端が、前記磁気ディスクの外縁よりも外方部位において前記ロータリーシャッタに形成された透孔に挿入されて係止され、前記他方のアーム部の先端が、前記ロータリーシャッタを閉位置にロックするために前記ハウジングに設けられたシャッタロック部材に係止されていることを特徴とする請求項１記載の磁気ディスクカートリッジ。
【請求項３】
前記ハウジングが、上シェルと、前記ディスクの中心部に固定されたセンタコアを外部に臨ませる中心孔を備え下シェルとを備え、前記ロータリーシャッタが、前記上シェルに回転可能に軸支された上シャッタ部材と、前記下シェルに回転可能に軸支された下シャッタ部材とからなり、前記トーションバネが、前記上シェルと前記上シャッタ部材との間の空間に介装されていることを特徴とする請求項１または２記載の磁気ディスクカートリッジ。
【請求項４】
前記トーションバネのコイル部が、前記上シャッタ部材を軸支するために前記上シェルに形成された軸筒に装着されていることを特徴とする請求項３記載の磁気ディスクカートリッジ。
【発明の詳細な説明】
【０００１】
【発明の属する技術分野】
本発明は、ハウジング内磁気ディスクを回転自在に収容してなる小型磁気ディスクカートリッジに関し、特にハウジングに形成された記録再生ヘッドアクセス用の開口を開閉するためのロータリーシャッタを閉方向に付勢する付勢構造に関するものである。
【０００２】
【従来の技術】
従来、デジタルカメラ等のモバイル機器においては、記録媒体として例えば図５〜図８に示すような「ｃｌｉｋ！（登録商標）」と呼ばれる超小型の磁気ディクカートリッジが使用されている。
【０００３】
この磁気ディスクカートリッジ１は、図５（ａ）〜（ｃ）にそのロータリーシャッタ７が閉状態にある平面図、右側面図および底面図を、図６（ａ），（ｂ）にロータリーシャッタ７が開状態にある平面図および底面図を、図７にその分解斜視図をそれぞれ示すように、押込み部２ａを含む樹脂製のフレーム２と、金属薄板からなる上下シェル３，４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【０００４】
この磁気ディスクカートリッジ１は、図９に示すようなドライブ装置２０に挿入態様で装填されるように構成され、そのハウジングには、ドライブ装置２０が備えている磁気ヘッド２７を磁気ディスク５の表面にアクセスさせるためのＶ字状の開口６と、この開口６を開閉するためのロータリーシャッタ７とが設けられている。
【０００５】
ロータリーシャッタ７は、互いに係合された上下のシャッタ部材７Ｕ、７Ｄ（図７参照）からなり、上シャッタ部材７Ｕは上シェル３に、下シャッタ部材７Ｄは下シェル４にそれぞれ回転可能に軸支されている。そして、磁気ディスク５と上下のシャッタ部材７Ｕ、７Ｄとの間には、それぞれライナー１８が介挿されている。
【０００６】
また、図５（ａ）におけるハウジングの左側面先端部には、ドライブ装置２０の係合部材２９に係合させて、ドライブ装置２０内での位置決めを確実にするためのノッチ８が形成され、右側面先端部には、ロータリーシャッタ７を閉位置にロックするためのシャッタロック部材１１を外部に臨ませる小窓９が図５（ｂ）に示すように形成されている。
【０００７】
ハウジングの下シェル４には、磁気ディスク５のセンタコア１０を外部に臨ませる円形の中心孔４ａと、ロータリーシャッタ７と同心的な円弧状溝４ｂとが形成され、下シャッタ部材７Ｄには、上記円弧状溝４ｂから突出しかつこの円弧状溝４ｂに沿って移動してロータリーシャッタ７を開閉するシャッタノブ７ｂが固設されている。
【０００８】
図８（ａ）は磁気ディスクカートリッジ１のロータリーシャッタ７が閉位置にあるときの状態を、図８（ｂ）はロータリーシャッタ７が開位置にある状態を、それぞれシェル３を取り除きかつ磁気ディスク５を省略して示す平面図である。
【０００９】
ロータリーシャッタ７を閉位置にロックするシャッタロック部材１１は、ロータリーシャッタ７の外周に形成された係合凹部７ｃに係入し得る係合凸部１１ａを先端に備えており、上シェル３に設けられた軸１２に回動自在に取り付けられているとともに、バネ板１１ｂによって、上記係合凸部１１ａが上記係合凹部７ｃに係入し得る方向（図８の反時計方向）にバネ付勢されている。
【００１０】
そして、磁気ディスクカートリッジ１がドライブ装置２０へ挿入される際に、ドライブ装置２０のロック解除部材１９が小窓９を通して上記シャッタロック部材１１を押圧することにより、ロック部材１１が時計方向に僅かに回動されて、係合凸部１１ａが係合凹部７ｃから脱出することによって、ロータリーシャッタ７のロックが解除される。
【００１１】
互いに係合された上シャッタ部材７Ｕと下シャッタ部材７Ｄらなるロータリーシャッタ７は、小径の長いコイルバネ１４によって閉方向（図８の反時計方向）にバネ付勢されており、このコイルバネ１４の装着のためにガイドワイヤ１３がコイルバネ１４内を長さ方向に貫通している。上記ガイドワイヤ１３の一端は、ロータリーシャッタ７の外周面に対向する部位２ｂにおいてフレーム２に係止され、他端は、下シャッタ部材７Ｄの外周面に固設された支持部材７ｄをスライド可能に貫通する態様でロータリーシャッタ７の外周に沿って延びている。
【００１２】
コイルバネ１４は、図８（ａ）に示すように、ガイドワイヤ１３に沿って伸縮するようにフレーム２の上記部位２ｂと支持部材７ｄとの間に縮装されて、ロータリーシャッタ７を閉方向（図８の反時計方向）にバネ付勢している。この状態から、ロックを解除されたロータリーシャッタ７が図８の時計方向に回動されると、コイルバネ１４が図８（ｂ）に示すように圧縮される。
【００１３】
図９に示すドライブ装置２０は、幅５３ｍｍ、奥行き８５ｍｍ、厚さ５ｍｍの外寸を有するＴＹＰＥＩＩ　ＰＣカード型のドライブ装置であり、磁気ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００１４】
さらにドライブ装置２０には、磁気ディスクカートリッジ１のノッチ８に係合する係合部材２９を備えたプッシュ・プッシュ式のカートリッジ係止・エジェクト機構２８と、このドライブ装置２０が装填されるデジタルカメラ、パソコン等の電子機器に対する入出力インターフェース３０とを備えている。
【００１５】
ドライブ装置２０のスロット２１の奥の右側には、磁気ディスクカートリッジ１の挿入方向と直交するように左右方向に延びるシャッタノブ係止壁３８がシャッタ開放手段として形成されているとともに、閉位置にロックされたロータリーシャッタ７のロック状態を磁気ディスクカートリッジ１の挿入時に解除するロック解除部材１９が設けられている。
【００１６】
そして、磁気ディスクカートリッジ１がドライブ装置２０に挿入されると、先ずロック解除部材１９がシャッタロック部材１１を押圧してロータリーシャッタ７のロック状態を解除し、その状態でシャッタノブ７ｂがドライブ装置のシャッタノブ係止壁３８に係合するから、磁気ディスクカートリッジ１の押し込みに伴ってシャッタノブ７ｂがシャッタノブ係止壁に沿ってスライドする態様でロータリーシャッタ７がコイルバネ１４を圧縮しながら回動されて、図６（ａ），（ｂ）および図８（ｂ）に示すように開放され、同時に磁気ディスクカートリッジ１のノッチ８にドライブ装置２０の係合部材２９が係合することにより、磁気ディスクカートリッジ１は，図８（ｂ）に示すように、コイルバネ１４が圧縮された状態のままでドライブ装置内の所定位置にロードされる。
【００１７】
一方、磁気ディスクカートリッジ１のエジェクト時には、押込み部２ａを押圧することにより、カートリッジ係止・エジェクト機構２８が磁気ディスクカートリッジ１を押し出すとともに、磁気ディスクカートリッジ１の引き出しに伴って、ロータリーシャッタ７はコイルばね１４の付勢力により、図５（ａ），（ｃ）および図８（ａ）に示す位置まで回動されて、シャッタロック部材１１によりロックされるように構成されている。
【００１８】
【発明が解決しようとする課題】
ところで、上述した従来の磁気ディスクカートリッジ１においては、図８（ａ）から明らかなように、ロータリーシャッタ７を閉位置に向かって付勢する手段として、ガイドワイヤ１３に沿って伸縮する小径で長いコイルバネ１４が用いられ、ロータリーシャッタ７の回転に伴う外周部の移動ストローク分に追従して動作する機構となっている。
【００１９】
このような機構は、ロータリーシャッタ７の動作を確実なものにするためには不可欠な手段であるが、このような長いコイルばね１４やガイドワイヤ１３を磁気ディスクカートリッジ１のハウジング内に組み込むためには、コイルばね１４を縮めてガイドワイヤ１３に押し込み、次いでガイドワイヤ１３を曲げて支持部材７ｄに通すという厄介な作業を行なわなければならず、組込み適正が悪化するという問題点があった。さらに、複雑な形状の小さい支持部材７ｄをロータリーシャッタ７に設けねばならず、その加工作業も困難であった。
【００２０】
上述の事情に鑑み、本発明は、この種の磁気ディスクカートリッジにおいて、組込みが容易なロータリーシャッタ付勢構造を提供することを目的とするものである。
【００２１】
【課題を解決するための手段】
本発明は、磁気ディスクを回転自在に収容するハウジングに、ドライブ装置の記録再生ヘッドを上記磁気ディスクの表面にアクセスさせるための開口と、バネ部材により閉方向に付勢された態様で上記開口を開閉するロータリーシャッタとが設けられてなるディスクカートリッジにおいて、
上記バネ部材が、コイル部と、このコイル部から延出する一対のアーム部とを備えたトーションバネからなり、このトーションバネの一方のアーム部の先端が上記ロータリーシャッタに係止され、他方のアーム部の先端がハウジング側に係止されていることを特徴とするものである。
【００２２】
その場合、上記トーションバネの一方のアーム部の先端が、磁気ディスクの外縁よりも外方部位においてロータリーシャッタの外縁部に形成された透孔に挿入されて係止され、他方のアーム部の先端が、ロータリーシャッタを閉位置にロックするためにハウジングに設けられたシャッタロック部材に係止されていることが好ましい。
【００２３】
また、上記ハウジングが、上シェルと、上記ディスクの中心部に固定されたセンタコアを外部に臨ませる中心孔を備えて上記上シェルに係合された下シェルとを備え、上記ロータリーシャッタが、上記上シェルに回転可能に軸支された上シャッタ部材と、上記下シェルに回転可能に軸支された下シャッタ部材とからなる場合に、上記トーションバネは、上シェルと上シャッタ部材との間の空間に介装することができる。
【００２４】
その場合に、上記トーションバネのコイル部が、上シャッタ部材を軸支するために上シェルに形成された軸筒に装着される。
【００２５】
【発明の効果】
本発明のディスクカートリッジによれば、ロータリーシャッタを閉方向に付勢する手段としてコイル部とこのコイル部から延出する一対のアーム部とを備えたトーションバネを用いているので、ハウジング内への組込みが容易であるばかりでなく、例えばトーションバネの一方のアーム部の先端を係止するための透孔をロータリーシャッタの外縁部に形成する程度の僅かな変更を従来のこの種のディスクカートリッジに施すだけで対応でき、部品形状を大きく変更する必要がないために対応も容易である。
【００２６】
【発明の実施の形態】
以下、本発明の実施の形態について、図面を参照して詳細に説明する。
【００２７】
図１（ａ），（ｂ）は、本発明による磁気ディスクカートリッジの実施の形態を示し、図１（ａ）はロータリーシャッタの閉状態を、図１（ｂ）はロータリーシャッタの開状態をそれぞれ上シェルの一部を切り欠いて示す平面図である。また図２はトーションバネの全体図である。
【００２８】
なお、本実施の形態による磁気ディスクカートリッジ４０おいては、ガイドワイヤ１３、コイルバネ１４および支持部材７ｄが省略され、代りにロータリーシャッタ７を閉位置に付勢する付勢手段としてトーションバネ４１が設けられている点を除いては、図８（ａ），（ｂ）に示す従来の磁気ディスクカートリッジ１と同一構成を有するから、対応する部材に同一符号を付して、重複する説明は省略する。
【００２９】
図２に示すトーションバネ４１は、中央のコイル部４１ａと、このコイル部４１ａから延出する一対のアーム部４１ｂ，４１ｄからなり、一方のアーム部４１ｂの先端は屈曲されて被係止部４１ｃを構成し、他方のアーム部４１ｄの先端も屈折されて被係止部４１ｅを構成している。
【００３０】
図３は、本実施の形態による磁気ディスクカートリッジ４０の要部を示す拡大断面図である。トーションバネ４１は、上シェル３と上シャッタ部材７Ｕとの間の空間３７に介装されている。
【００３１】
図３において、上シェル３の中心部には、小径の円筒体３ａが軸筒として内方（下方）へ向かって突設され、この円筒体３ａの周囲にトーションバネ４１コイル部４０ａが装着されている。さらに円筒体３ａは上シャッタ部材７Ｕの中心孔に挿通された後、その先端に抜け止め用のセンタピン１７が溶接により固着されて、上シャッタ部材７Ｕが上シェル３に回転可能に軸支されている。
【００３２】
センタコア１０を外部に臨ませるために下シェル４に形成された中心孔４ａの周壁は、ハウジング内に入り込んで下シャッタ部材７Ｄの軸受部４ｂを構成しており、下シャッタ部材７Ｄの中心孔の周囲に外方（下方）に向かって突設された大径の円筒体７Ｄａが軸筒として軸受部４ｂに挿通された後、先端部にカシメ加工が施されて抜け止め用のフランジ７Ｄｂが形成され、この状態で下シャッタ部材７Ｄが下シェル４によって回転可能に軸支されている。なお、このような上シャッタ部材７Ｕおよび下シャッタ部材７Ｄの軸支構造は、従来の磁気ディスクカートリッジ１と同様である。
【００３３】
上シャッタ部材７Ｕには、磁気ディスク５の外縁５ａよりも外方部位において透孔４２が形成されて、この透孔４２に、トーションバネ４１の一方のアーム部４１ｂの先端の被係止部４１ｃが挿通係止されている。
【００３４】
図４は、トーションバネ４１の他方のアーム部４１ｄの先端の被係止部４１ｅを係止するハウジング側の係止部の拡大断面図である。
【００３５】
ロータリーシャッタ７を閉位置にロックするシャッタロック部材１１は、ロータリーシャッタ７の外周に形成された係合凹部７ｃに係入し得る係合凸部１１ａを先端に備えて、ハウジングに設けられた軸１２に回動自在に取り付けられているとともに、バネ板１１ｂによって、上記係合凸部１１ａが上記係合凹部７ｃに係入し得る方向（図４の反時計方向）にバネ付勢されている。そして、トーションバネ４１の他方のアーム部４１ｄの先端の被係止部４１ｅが、ロータリーシャッタ７の回転中心方向に向かって突出しているシャッタロック部材１１の係合凸部１１ａの根元に引っ掛けられて係止されている。
【００３６】
したがって、ロータリーシャッタ７が閉状態にあるときには、図１（ａ）に示すように、トーションバネ４１のアーム部４１ｂ，４１ｄが開いた状態にあるが、ロックを解除されたロータリーシャッタ７が図１の時計方向に回動されて開状態になると、図１（ｂ）に示すように、アーム部４１ｂ，４１ｄが互いに接近した状態となり、ロータリーシャッタ７は反時計方向（閉方向）に付勢される。
【００３７】
以上の説明で明らかなように、本実施の形態によれば、ロータリーシャッタ７を閉方向に付勢する手段として、コイル部４１ａとこのコイル部４１ａから延出する一対のアーム部４１ｂ，４１ｄとを備えたトーションバネ４１を用いているので、ハウジング内への組込みが容易になり、組込み特性が向上する。
【００３８】
さらに、本実施の形態では、トーションバネ４１の他方のアーム部４１ｄの先端の被係止部４１ｅを、シャッタロック部材１１の係合凸部１１ａを利用して係止しているので、従来の磁気ディスクカートリッジ１に対し、トーションバネ４１の一方のアーム部４１ｂの先端の被係止部４１ｃを係止するための透孔４２をロータリーシャッタの上シャッタ部材７Ｕの外縁部に形成する程度の僅かな変更を行なうだけでトーションバネ４１をハウジングに装着することができ、部品形状を大きく変更する必要がないために対応も容易である。
【図面の簡単な説明】
【図１】本発明による磁気ディスクカートリッジの実施の形態を示し、図１（ａ）はロータリーシャッタの閉状態を、図１（ｂ）はロータリーシャッタの開状態をそれぞれ上シェルの一部を切り欠いて示す平面図
【図２】図１の磁気ディスクカートリッジが備えているトーションバネの全体図
【図３】図２のトーションバネのコイル部の装着状態および一方のアーム部の係止状態を示す拡大断面図
【図４】トーションバネの他方のアーム部の係止状態を示す拡大断面図
【図５】図５（ａ）〜（ｃ）は、ロータリーシャッタが閉状態にあるときの従来の磁気ディスクカートリッジを示す平面図、右側面図および底面図
【図６】図６（ａ），（ｂ）は、ロータリーシャッタが開状態にあるときの図５の磁気ディスクカートリッジを示す平面図および底面図
【図７】図５の磁気ディスクカートリッジの分解斜視図
【図８】図８（ａ），（ｂ）は、図５の磁気ディスクカートリッジを、ロータリーシャッタの閉状態および開状態において、それぞれ上シェルを取り除きかつ磁気ディスクを省略して示す平面図
【図９】ドライブ装置の平面図
【符号の説明】
１，４０　　磁気ディスクカートリッジ
２　　フレーム
３　　上シェル
４　　下シェル
５　　磁気ディスク
７　　ロータリーシャッタ
７Ｕ　　上シャッタ部材
７Ｄ　　下シャッタ部材
１０　　センタコア
１１　　シャッタロック部材
４１　　トーションバネ
４２　　透孔
【図１】
2004127452.tif 000003
【図２】
2004127452.tif 000004
【図３】
2004127452.tif 000005
【図４】
2004127452.tif 000006
【図５】
2004127452.tif 000007
【図６】
2004127452.tif 000008
【図７】
2004127452.tif 000009
【図８】
2004127452.tif 000010
【図９】
2004127452.tif 000011